(57)【要約】【課題】携帯端末機の所定部分に光を感知するセンサを装着し、使用者が携帯端末機を頭部に密着させる場合は光の強さが弱くなることを感知して自動的に映像の伝送を遮断し、使用者が携帯端末機を頭部から離隔させる場合は映像の伝送を再開することで不要な映像の伝送を最小化し、使用者の便宜を向上し得る携帯端末機の映像伝送自動制御装置及びその方法を提供する。【解決手段】携帯端末機６が身体と所定距離離れているかを感知する感知部１０と、感知部における感知結果によって映像の伝送を制御する制御部２０と、を含んで構成される。【選択図】図１
2005033790.tif 000002
【特許請求の範囲】
【請求項１】
携帯端末機が身体と所定距離離れているかを感知する感知部と、
前記感知部における感知結果によって映像の伝送を制御する制御部と、
を含んで構成されることを特徴とする携帯端末機の映像伝送自動制御装置。
【請求項２】
前記感知部は、前記携帯端末機から所定距離離れている少なくとも２ヵ所の周囲の明るさを感知することを特徴とする請求項１記載の携帯端末機の映像伝送自動制御装置。
【請求項３】
前記感知部において感知された少なくとも２ヵ所の明るさを比較する比較部をさらに含んで構成され、
前記制御部は、前記比較部における比較結果によって前記映像の伝送を制御することを特徴とする請求項２記載の携帯端末機の映像伝送自動制御装置。
【請求項４】
前記比較部における比較の結果、前記少なくとも２ヵ所の周囲の明るさの差が所定範囲を超えると、前記映像の伝送を遮断することを特徴とする請求項３記載の携帯端末機の映像伝送自動制御装置。
【請求項５】
前記比較部における比較の結果、前記少なくとも２ヵ所の周囲の明るさの差が所定範囲以内であると、前記映像の伝送を行うことを特徴とする請求項３記載の携帯端末機の映像伝送自動制御装置。
【請求項６】
携帯端末機の外部に装着されて光を感知する外部光センサと、
携帯端末機のスピーカー部の周辺に装着されて光を感知する内部光センサと、を備え、
前記外部光センサ及び内部光センサによりそれぞれ感知された光の照度を検出して相互比較し、その比較結果によって映像の伝送を制御することを特徴とする携帯端末機の映像伝送自動制御装置。
【請求項７】
前記光の照度は、照度検出部により検出されることを特徴とする請求項６記載の携帯端末機の映像伝送自動制御装置。
【請求項８】
前記光の照度は、比較演算部により比較されることを特徴とする請求項６記載の携帯端末機の映像伝送自動制御装置。
【請求項９】
前記映像の伝送の制御は、制御部により行われることを特徴とする請求項６記載の携帯端末機の映像伝送自動制御装置。
【請求項１０】
前記映像の伝送の制御は、前記内部光センサから検出された照度が前記外部光センサから検出された照度よりも所定量以上低いと、映像の伝送を遮断することを特徴とする請求項６記載の携帯端末機の映像伝送自動制御装置。
【請求項１１】
前記映像の伝送の制御は、前記内部光センサから検出された照度が前記外部光センサから検出された照度よりも高いか、または低くても所定量未満低いと、映像の伝送を行うことを特徴とする請求項６記載の携帯端末機の映像伝送自動制御装置。
【請求項１２】
携帯端末機の外部に装着されて周辺の光を感知する外部光センサと、
携帯端末機のスピーカー部の周辺に装着されて該スピーカー部の周辺の光を感知する内部光センサと、
前記外部光センサ及び内部光センサによりそれぞれ感知された光の照度を検出する照度検出部と、
前記照度検出部により検出された、前記外部光センサの感知光の照度と前記内部光センサの感知光の照度とを相互比較し、その比較結果を出力する比較演算部と、
前記比較演算部の出力信号によって映像の伝送を制御する制御部と、
を含んで構成されることを特徴とする携帯端末機の映像伝送自動制御装置。
【請求項１３】
前記制御部は、前記内部光センサから検出された照度が前記外部光センサから検出された照度よりも所定量以上低いと、映像の伝送を遮断することを特徴とする請求項１２記載の携帯端末機の映像伝送自動制御装置。
【請求項１４】
前記制御部は、前記内部光センサから検出された照度が前記外部光センサから検出された照度よりも高いか、または低くても所定量未満低いと、映像の伝送を行うことを特徴とする請求項１２記載の携帯端末機の映像伝送自動制御装置。
【請求項１５】
携帯端末機が身体と所定距離離れているかを感知する段階と、
前記感知する段階における感知結果によって映像の伝送を制御する段階と、
を有することを特徴とする携帯端末機の映像伝送自動制御方法。
【請求項１６】
前記感知する段階は、
前記携帯端末機から所定距離離れている少なくとも２ヵ所の周囲の明るさを感知する段階と、
前記感知された少なくとも２ヵ所の明るさを比較する段階と、を含み、
前記比較する段階における比較結果によって前記映像の伝送を制御することを特徴とする請求項１５記載の携帯端末機の映像伝送自動制御方法。
【請求項１７】
前記比較する段階における比較の結果、前記少なくとも２ヵ所の周囲の明るさの差が所定範囲を超えると、前記映像の伝送を遮断することを特徴とする請求項１６記載の携帯端末機の映像伝送自動制御方法。
【請求項１８】
前記比較する段階における比較の結果、前記少なくとも２ヵ所の周囲の明るさの差が所定範囲以内であると、前記映像の伝送を行うことを特徴とする請求項１６記載の携帯端末機の映像伝送自動制御方法。
【請求項１９】
携帯端末機の内部及び外部に装着された光センサが周辺の明るさを感知する段階と、
照度検出部が内部光センサ及び外部光センサによりそれぞれ感知された光の照度を検出する段階と、
比較演算部が前記照度検出部の内部光センサから検出された照度が外部光センサから検出された照度よりも所定量以上低いかを判断する段階と、
前記内部光センサから検出された照度が前記外部光センサから検出された照度よりも所定量以上低いと、制御部が映像の伝送を遮断する段階と、
を有することを特徴とする携帯端末機の映像伝送自動制御方法。
【請求項２０】
前記映像の伝送を遮断する段階の後に、前記内部光センサから検出された照度が前記外部光センサから検出された照度よりも高くなるか、または低くなっても所定量未満低くなると、制御部が映像の伝送を再開する段階をさらに有することを特徴とする請求項１９記載の携帯端末機の映像伝送自動制御方法。
【請求項２１】
画像通話機能が備えられた携帯端末機において、
画像通話が設定されると映像の伝送を開始し、内部光センサ及び外部光センサがそれぞれ周辺の明るさを感知する段階と、
前記感知された周辺の明るさの照度をそれぞれ検出して相互比較する段階と、
前記比較結果によって前記映像の伝送を制御する段階と、
を有することを特徴とする携帯端末機の映像伝送自動制御方法。
【請求項２２】
前記比較する段階は、
前記内部光センサから検出された照度が前記外部光センサから検出された照度よりも所定量以上低いか否かを判断する段階であることを特徴とする請求項２１記載の携帯端末機の映像伝送自動制御方法。
【請求項２３】
前記制御する段階は、
前記内部光センサから検出された照度が前記外部光センサから検出された照度よりも所定量以上低いと、前記映像の伝送を遮断する段階を含むことを特徴とする請求項２１記載の携帯端末機の映像伝送自動制御方法。
【請求項２４】
前記制御する段階は、
前記内部光センサから検出された照度が前記外部光センサから検出された照度よりも高いか、または低くても所定量未満低いと、前記映像の伝送を行う段階を含むことを特徴とする請求項２１記載の携帯端末機の映像伝送自動制御方法。
【発明の詳細な説明】
【技術分野】
【０００１】
本発明は、携帯端末機の映像伝送自動制御装置及びその方法に関するもので、詳しくは、画像通話時に光感知手段を利用して自動的に映像の伝送を遮断及び再開する携帯端末機の映像伝送自動制御装置及びその方法に関するものである。
【背景技術】
【０００２】
初期の携帯端末機は、単純に携帯用無線通信手段を提供することにその機能が制限されていた。しかし、通話品質や通話距離などを向上させるために多くの研究開発が進み、関連技術の発展につれて移動通信端末機としての使用が一般に普及するようになり、携帯端末機の概念は、単なる無線通信手段としてだけでなく、使用者の欲求を充足させるための多様な機能を備える携帯システムとして、非常に複合的な性格を有するようになった。
【０００３】
特に、携帯端末機のカメラ機能及びリアルタイムマルチメディア再生を利用するＴＶ電話等の画像の送受信と通話とを同時に行う画像通話機能は次第に大衆化しつつある高級機能であって、デジタルカメラの技術的進歩によって、携帯端末機に適用されるカメラの機能も大きく発展し、高度化した技術のカメラにより撮影された画像を表示するディスプレイ部も飛躍的な発展を遂げて、画像通話機能を備えた携帯端末機が迅速に普及してきている。
このような携帯端末機の画像通話機能を使用する際には、一般的に携帯端末機のキーパッドを操作してメニューの該当機能をその都度設定する必要があり手間がかるのが現状である。画像送信の際の操作性を改善する試みとしては、１回のスイッチ操作によりリアルタイム画像を送信できるようにしたものが特許文献１に開示されている。
【０００４】
【特許文献１】特開２００４−１２０５４２号公報
【発明の開示】
【発明が解決しようとする課題】
【０００５】
しかしながら、画像通話機能を備えた従来の殆どの携帯端末機においては、画像通話時の映像の伝送及び遮断は、図７、８に示すように、使用者が直接携帯端末機のキーパッドを操作してメニューの該当機能を設定することで制御されるため、使用者が該当機能を制御するために通話中にキーを一々押さえなければならない不便があり、特に、通話中に映像を伝送する映像モードを頻繁に使用する使用者には多くの不便を与えるという問題があった。
【０００６】
本発明は、このような従来の携帯端末機の映像伝送自動制御装置及びその方法における問題に鑑みてなされたもので、本発明の目的は、携帯端末機の所定部分に光を感知するセンサを装着して、使用者が携帯端末機を頭部に密着させる場合は光の強さが弱くなることを感知して自動的に映像の伝送を遮断し、使用者が携帯端末機を頭部から離隔させる場合は映像の伝送を再開することで、使用者の便宜を向上し不要な映像の伝送を最小化し得る携帯端末機の映像伝送自動制御装置及びその方法を提供することにある。
【課題を解決するための手段】
【０００７】
このような目的を達成するため、本発明に係る携帯端末機の映像伝送自動制御装置は、携帯端末機の外部に装着されて周辺の明るさ、即ち、周辺の光を感知する外部光センサと、前記携帯端末機のスピーカー部の周辺に装着されて周辺の光を感知する内部光センサと、前記外部光センサ及び内部光センサにより感知された光の照度を検出する照度検出部と、前記照度検出部により検出された、前記外部光センサの感知光の照度と前記内部光センサの感知光の照度とを相互比較し、その比較結果を制御部に出力する比較演算部と、前記比較演算部の出力信号によって映像の伝送を制御する制御部と、を含んで構成されることを特徴とする。
【０００８】
そして、本発明に係る携帯端末機の映像伝送自動制御方法は、画像通話が設定されると映像の伝送を開始し、内部光センサ及び外部光センサがそれぞれ周辺の明るさを感知する段階と、それら感知された周辺の明るさの照度をそれぞれ検出して相互比較する段階と、前記比較結果によって前記映像の伝送を制御する段階と、を有することを特徴とする。
また、前記内部光センサから検出された照度が前記外部光センサから検出された照度よりも所定量以上低い場合は、前記映像の伝送を遮断することを特徴とする。
また、前記内部光センサから検出された照度が前記外部光センサから検出された照度よりも高いか、または前記内部光センサから検出された照度が前記外部光センサから検出された照度よりも低くても所定量未満で低い場合は、前記映像の伝送を行うことを特徴とする。
【発明の効果】
【０００９】
本発明に係る携帯端末機の映像伝送自動制御装置及びその方法によれば、携帯端末機のスピーカー部の周辺に内部光センサを、携帯端末機の外部に外部光センサを備え、使用者が携帯端末機を頭部に密着させて光の強さが弱くなる場合、これを自動的に感知して映像の伝送を遮断し、使用者が携帯端末機を頭部から離隔させる場合は、映像の伝送を再開する自動映像伝送制御機能を提供することで、映像通話中に映像伝送の遮断及び再開を自動的に行って使用者の便宜を向上させ、不要な映像の伝送を最小化しながらも映像伝送にかかる費用を減らし得るという効果がある。
【発明を実施するための最良の形態】
【００１０】
以下、本発明の最良の実施形態について図面を参照しながら説明する。
本発明を説明するにあたり、関連する公知の機能または構成についての具体的な説明が本発明の要旨を曖昧にする恐れがあると判断される場合は、その詳しい説明は省略する。
【００１１】
図１、２は、本発明に係る携帯端末機の映像伝送自動制御装置及びその方法を実現するための携帯端末機の外形図で、図１、２に示すように、本発明が適用される携帯端末機は、携帯端末機６の外側面９に装着されて光を感知する外部光センサ１２と、携帯端末機６の内側面８のスピーカー部１４の周辺に装着されて光を感知する内部光センサ１０と、を備え、外部光センサ１２及び内部光センサ１０により感知された光の照度を検出して相互比較し、その比較結果によって映像の伝送を制御する。
【００１２】
ここで仮に、単純に内部光センサ１０により感知された光の照度が既設定された基準値以下の場合に映像の伝送を遮断するように構成すると、使用者が音声通話をするために携帯端末機６を耳に密着させたためであるか、或いは単純に暗い所であるためであるかを区分することができないため、映像伝送の制御に誤作動が発生する恐れがある。よって、本発明においては、他の一つの光センサである外部光センサ１２を使用して、外部光センサ１２により感知された光の照度と内部光センサ１０により感知された光の照度とを比較し、その比較結果によって映像の伝送を制御する。これにより、誤作動の発生確率を顕著に低下させることができる。
尚、図１、２の内部光センサ１０及び外部光センサ１２は、スピーカー部１４の周辺及び携帯端末機６の外側面９に特定形状に示されているが、これは一実施例を示したもので、これに限定されるものではない。
【００１３】
図３は、本発明に係る携帯端末機の映像伝送自動制御装置の構成を示すブロック図で、図に示すように、本発明に係る携帯端末機の映像伝送自動制御装置は、携帯端末機６の外側面９に装着されて周辺の光を感知する外部光センサ１２と、携帯端末機６の内側面８のスピーカー部１４の周辺に装着されてスピーカー部１４周辺の光を感知する内部光センサ１０と、外部光センサ１２及び内部光センサ１０により感知された光の照度を検出する照度検出部１６と、照度検出部１６により検出された、外部光センサ１２の感知光の照度と内部光センサ１０の感知光の照度とを比較し、その結果を出力する比較演算部１８と、比較演算部１８の出力信号によって映像の伝送を制御する制御部２０と、を含んで構成されている。
【００１４】
ここで、制御部２０は、内部光センサ１０により感知された光の照度が外部光センサ１２により感知された光の照度よりも所定量以上低いと、図４に示すように、使用者２２が音声通話をするために携帯端末機６を耳に密着させたと判断して映像の伝送を遮断する。
逆に、内部光センサ１０により感知された光の照度が外部光センサ１２により感知された光の照度よりも高いか、または内部光センサ１０により感知された光の照度が外部光センサ１２により感知された光の照度よりも低くても所定量未満で低い場合に、制御部２０は、図５に示すように、使用者２４が画像通話または映像の伝送を行おうとしていると判断して映像の伝送を開始または再開する。
従って、使用者は、単純に携帯端末機を耳に密着させるか、スピーカー部を指などで遮蔽するだけで映像の伝送を遮断し、携帯端末機を耳から離隔させるか、指などをスピーカー部から離すだけで映像の伝送を再開することができる。
【００１５】
図６は、本発明に係る携帯端末機の映像伝送自動制御方法を実現する段階を示すフローチャートで、図に示すように、使用者が画像通話を設定すると、携帯端末機６は、カメラにより撮影された映像を相手方の携帯端末機に伝送する（ステップＳ２８）。その後、携帯端末機６に装着された内部光センサ１０及び外部光センサ１２は周辺の明るさの感知を開始し（ステップＳ３０）、携帯端末機６は、内部光センサ１０及び外部光センサ１２により感知された光の照度をそれぞれ検出する（ステップＳ３２）。
次いで、携帯端末機６は、内部光センサ１０から検出された照度が外部光センサ１２から検出された照度よりも所定量以上低いか否かを判断し（ステップＳ３４）、内部光センサ１０から検出された照度が外部光センサ１２から検出された照度よりも所定量以上低いと、使用者が音声通話をするために携帯端末機６を耳に密着させたと判断して映像の伝送を遮断する（ステップＳ３６）。
その後継続して、内部光センサ１０及び外部光センサ１２は周辺の明るさを感知し、それら感知された光から携帯端末機６は照度を検出及び比較し、内部光センサ１０から検出された照度が外部光センサ１２から検出された照度よりも高くなるか、または内部光センサ１０から検出された照度が外部光センサ１２から検出された照度よりも低くなってもその差が所定量未満の場合は、使用者が画像通話または映像の伝送を行おうとしていると判断して映像の伝送を再開する（ステップＳ３８）。
ステップＳ３４の判断として、内部光センサ１０から検出された照度と外部光センサ１２から検出された照度との差が所定範囲以内であるか否かにより行い、その差が所定範囲を超えると映像の伝送を遮断し、所定範囲以内であると映像の伝送を行うように構成しても良い。
【００１６】
尚、本発明は、上述の実施形態に限られるものではない。本発明の技術的範囲から逸脱しない範囲内で多様に変更実施することが可能である。
【図面の簡単な説明】
【００１７】
【図１】本発明に係る携帯端末機の映像伝送自動制御装置及びその方法を実現するための携帯端末機の外形図（正面図）である。
【図２】本発明に係る携帯端末機の映像伝送自動制御装置及びその方法を実現するための携帯端末機の外形図（背面図）である。
【図３】本発明に係る携帯端末機の映像伝送自動制御装置の構成を示すブロック図である。
【図４】本発明に係る携帯端末機の映像伝送自動制御装置の動作を示す説明図（その１）である。
【図５】本発明に係る携帯端末機の映像伝送自動制御装置の動作を示す説明図（その２）である。
【図６】本発明に係る携帯端末機の映像伝送自動制御方法を示すフローチャートである。
【図７】従来の携帯端末機の映像の伝送を遮断及び再開する方法を示す説明図（その１）である。
【図８】従来の携帯端末機の映像の伝送を遮断及び再開する方法を示す説明図（その２）である。
【符号の説明】
【００１８】
６    携帯端末機
８    携帯端末機の内側面
９    携帯端末機の外側面
１０    内部光センサ
１２    外部光センサ
１４    スピーカー部
１６    照度検出部
１８    比較演算部
２０    制御部
２２、２４    使用者
【図１】
2005033790.tif 000003
【図２】
2005033790.tif 000004
【図３】
2005033790.tif 000005
【図４】
2005033790.tif 000006
【図５】
2005033790.tif 000007
【図６】
2005033790.tif 000008
【図７】
2005033790.tif 000009
【図８】
2005033790.tif 000010